(57)【特許請求の範囲】
【請求項１】
送信フレームの第１の部分中にパルスの複数のバーストを備える第１の信号を第１の装置が送信することと、各バーストは複数のパルスを備え、
前記送信フレームの第２の部分中に前記第１の信号を前記第１の装置が送信しないことと、
前記送信フレームの第３の部分内でデータペイロードを送信することと
を備える、ワイヤレス通信の方法であって、
前記第１の信号を送信しないことが、前記送信フレームの前記第２の部分にわたって複数のサイレンス期間を維持すること、前記第１の信号とは別個の第２の信号を送信すること、を備え、
前記バーストにおける前記第１の信号の第１の周波数スペクトルは、前記第２の信号の第２の周波数スペクトルとは異なり、前記第２の信号は前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、ワイヤレス通信の方法。
【請求項２】
前記第１の信号の前記第１の周波数スペクトルが超広帯域（ＵＷＢ）スペクトルを備える、請求項１に記載の方法。
【請求項３】
前記送信フレームの前記第２の部分が、前記第１の部分から残る前記送信フレームの部分を備える、請求項１に記載の方法。
【請求項４】
パルスの前記１つまたは複数のバーストが、それぞれ、パルス繰返し周期ＴPを有するＮ個の実質的に等間隔に配置されたパルスを備える、請求項１に記載の方法。
【請求項５】
パルスの前記１つまたは複数のバーストが、それぞれ、時間ホッピング方式で送られるＮ個のパルスを備える、請求項１に記載の方法。
【請求項６】
パルスの前記１つまたは複数のバーストが、それぞれ、パルス位置変調方式で送られるＮ個のパルスを備える、請求項１に記載の方法。
【請求項７】
パルスの前記１つまたは複数のバーストが、それぞれ、パルスの擬似ランダム系列を備える、請求項１に記載の方法。
【請求項８】
パルスの同じ擬似ランダム系列が、前記送信フレームのプリアンブル内で複数のバーストにわたって使用される、請求項７に記載の方法。
【請求項９】
パルスの前記擬似ランダム系列が、前記擬似ランダム系列を検出するためにシードを使用する第２の装置と共有される前記シードから生成される、請求項７に記載の方法。
【請求項１０】
少なくとも１つのサイレンス期間の長さが、パルスの少なくとも１つのバーストの長さよりも少なくとも１０倍大きい、請求項１に記載の方法。
【請求項１１】
少なくとも１つのサイレンス期間の長さが７００μｓよりも大きく、パルスの少なくとも１つのバーストの前記長さが６０μｓよりも小さい、請求項１に記載の方法。
【請求項１２】
送信フレームの第１の部分中にパルスの複数のバーストを備える第１の信号を送信するための手段と、各バーストは複数のパルスを備え、
前記送信フレームの第２の部分中に前記第１の信号を送信しないための手段と、
前記送信フレームの第３の部分内でデータペイロードを送信するための手段と
を備える、ワイヤレス通信のための装置であって、
前記第１の信号を送信しないための前記手段が、前記送信フレームの前記第２の部分にわたって複数のサイレンス期間を維持するための手段と、前記第１の信号とは別個の第２の信号を送信するための手段とを備え、
前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、ワイヤレス通信のための装置。
【請求項１３】
前記第１の信号の前記第１の周波数スペクトルが超広帯域（ＵＷＢ）スペクトルを備える、請求項１２に記載の装置。
【請求項１４】
前記送信フレームの前記第２の部分が、前記第１の部分から残る前記送信フレームの部分を備える、請求項１２に記載の装置。
【請求項１５】
パルスの前記１つまたは複数のバーストが、それぞれ、パルス繰返し周期ＴPを有するＮ個の実質的に等間隔に配置されたパルスを備える、請求項１２に記載の装置。
【請求項１６】
パルスの前記１つまたは複数のバーストが、それぞれ、時間ホッピング方式で送られるＮ個のパルスを備える、請求項１２に記載の装置。
【請求項１７】
パルスの前記１つまたは複数のバーストが、それぞれ、パルス位置変調方式で送られるＮ個のパルスを備える、請求項１２に記載の装置。
【請求項１８】
パルスの前記１つまたは複数のバーストが、それぞれ、パルスの擬似ランダム系列を備える、請求項１２に記載の装置。
【請求項１９】
パルスの同じ擬似ランダム系列が、前記送信フレームのプリアンブル内で複数のバーストにわたって使用される、請求項１２に記載の装置。
【請求項２０】
パルスの前記擬似ランダム系列が、前記擬似ランダム系列を検出するためにシードを使用する第２の装置と共有される前記シードから生成される、請求項１８に記載の装置。
【請求項２１】
少なくとも１つのサイレンス期間の長さが、パルスの少なくとも１つのバーストの長さよりも少なくとも１０倍大きい、請求項１２に記載の装置。
【請求項２２】
少なくとも１つのサイレンス期間の長さが７００μｓよりも大きく、パルスの少なくとも１つのバーストの前記長さが６０μｓよりも小さい、請求項１２に記載の装置。
【請求項２３】
送信フレームの第１の部分中にパルスの複数のバーストを備える第１の信号を送信し、前記送信フレームの第２の部分中に前記第１の信号を送信しないように、および前記送信フレームの第３の部分内でデータペイロードを送信するように適合された送信機
を備える、ワイヤレス通信のための装置であって、
各バーストは複数のパルスを備え、
前記送信機が、前記送信フレームの前記第２の部分にわたって複数のサイレンス期間を維持し、前記第１の信号とは別個の第２の信号を送信するように適合され、前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームのプリアンブル内の隣接するバースト間に位置する、ワイヤレス通信のための装置。
【請求項２４】
前記第１の信号の前記第１の周波数スペクトルが超広帯域（ＵＷＢ）スペクトルを備える、請求項２３に記載の装置。
【請求項２５】
前記送信フレームの前記第２の部分が、前記第１の部分から残る前記送信フレームの部分を備える、請求項２３に記載の装置。
【請求項２６】
パルスの前記１つまたは複数のバーストが、それぞれ、パルス繰返し周期ＴPを有するＮ個の等間隔に配置されたパルスを備える、請求項２３に記載の装置。
【請求項２７】
パルスの前記１つまたは複数のバーストが、それぞれ、時間ホッピング方式で送られるＮ個のパルスを備える、請求項２３に記載の装置。
【請求項２８】
パルスの前記１つまたは複数のバーストが、それぞれ、パルス位置変調方式で送られるＮ個のパルスを備える、請求項２３に記載の装置。
【請求項２９】
パルスの前記１つまたは複数のバーストが、それぞれ、パルスの擬似ランダム系列を備える、請求項２３に記載の装置。
【請求項３０】
パルスの同じ擬似ランダム系列が、前記送信フレームのプリアンブル内で複数のバーストにわたって使用される、請求項２９に記載の装置。
【請求項３１】
パルスの前記擬似ランダム系列が、前記擬似ランダム系列を検出するためにシードを使用する第２の装置と共有される前記シードから生成される、請求項２９に記載の装置。
【請求項３２】
少なくとも１つのサイレンス期間の長さが、パルスの少なくとも１つのバーストの長さよりも少なくとも１０倍大きい、請求項２３に記載の装置。
【請求項３３】
少なくとも１つのサイレンス期間の長さが７００μｓよりも大きく、パルスの少なくとも１つのバーストの前記長さが６０μｓよりも小さい、請求項２３に記載の装置。
【請求項３４】
送信フレームの第１の部分中にパルスの複数のバーストを備える第１の信号を送信することと、各バーストは複数のパルスを備え、
前記送信フレームの第２の部分中に前記第１の信号を送信しないことと、
前記送信フレームの第３の部分内でデータペイロードを送信することと、
前記送信フレームの前記第２の部分にわたって複数のサイレンス期間を維持することと、
前記第２の部分内で、前記第１の信号とは別個の第２の信号を送信すること、
を行うための、装置によって実行可能な命令を備えるコンピュータ可読記憶媒体であって、
前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、コンピュータ可読記憶媒体。
【請求項３５】
オーディオデータを生成するように適合されたトランスデューサと、
送信フレームの第１の部分中にパルスの複数のバーストを備える第１の信号を送信することと、各バーストは複数のパルスを備え、
前記送信フレームの第２の部分中に前記第１の信号を送信しないことと、
前記送信フレームの第３の部分中に前記オーディオデータを送信することと、
前記送信フレームの前記第２の部分にわたって複数のサイレンス期間を維持することと、
前記第２の部分内に、前記第１の信号とは別個の第２の信号を送信すること、
を行うように適合された送信機と
を備える、ヘッドセットであって、
前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、ヘッドセット。
【請求項３６】
データを生成するように適合されたユーザインターフェースと、
送信フレームの第１の部分中にパルスの複数のバーストを備える第１の信号を送信することと、各バーストは複数のパルスを備え、
前記送信フレームの第２の部分中に前記第１の信号を送信しないことと、
前記送信フレームの第３の部分中に前記データを送信することと、
前記送信フレームの前記第２の部分にわたって複数のサイレンス期間を維持することと、
前記第２の部分内に、前記第１の信号とは別個の第２の信号を送信すること、
を行うように適合された送信機と
を備える、ユーザデバイスであって、
前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、ユーザデバイス。
【請求項３７】
データを生成するように適合されたセンサと、
送信フレームの第１の部分中にパルスの複数のバーストを備える第１の信号を送信することと、各バーストは複数のパルスを備え、
前記送信フレームの第２の部分中に前記第１の信号を送信しないことと、
前記送信フレームの第３の部分中に前記データを送信することと、
前記送信フレームの前記第２の部分にわたって複数のサイレンス期間を維持することと、
前記第２の部分内に、前記第１の信号とは別個の第２の信号を送信すること、
を行うように適合された送信機と
を備える、感知デバイスであって、
前記バーストにおける前記第１の信号の第１の周波数スペクトルが、前記第２の信号の第２の周波数スペクトルとは異なり、前記第２の信号が前記第１の信号より低い周波数帯域幅を有し、
前記送信フレームの前記第１の部分が前記送信フレームのプリアンブル内に位置し、
前記送信フレームの前記第２の部分が前記送信フレームの前記プリアンブル内の隣接するバースト間に位置する、感知デバイス。
【発明の詳細な説明】
【技術分野】
【０００１】
関連出願の相互参照
本出願は、参照により本明細書に組み込まれる、２００９年７月３１日に出願された「Transmission Frame with Bursty Preamble」と題する仮特許出願第６１／２３０，３１２号の出願日の利益を主張する。
【０００２】
本開示は、一般に通信システムに関し、詳細には、パルスの１つまたは複数のバーストを含むフレームの送信および検出のためのシステムおよび方法に関する。
【背景技術】
【０００３】
通信システムでは、しばしば、信号がワイヤレス媒体または自由空間媒体を介してソース通信デバイスからターゲット通信デバイスに送信される。これらの通信デバイスは、一般に、ワイヤレス媒体を介して長い距離にわたって信号を送信するために送信機を採用する。多くの場合、信号が送信されているか否かにかかわらず、送信機は連続的に動作させられる。場合によっては、送信機を連続的な方法で動作させることが許容でき得る。しかしながら、電源が限られているとき、通信デバイスは望ましい長い時間にわたって連続的に動作させられないことがあるので、これは望ましくないことがある。
【０００４】
たとえば、セルラー電話、携帯情報端末（ＰＤＡ）、ハンドヘルドデバイス、および他のデバイスなど、多くの通信デバイスはポータブルである。ポータブル通信デバイスは、一般に、様々な意図された動作を実行するためにバッテリーなどの限られた電源に依拠する。限られた電源は、一般に、ポータブルデバイスによって使用される電力量に依存する連続使用寿命を有する。概して、その連続使用寿命をできる限り延長することが望ましい。したがって、ポータブル通信デバイスは、よりいっそう少ない電力を消費するようにより頻繁に設計される。
【０００５】
より電力効率が高い方法で送信機を動作させるための１つの技法は、信号を送信するためにパルスベース変調技法（たとえば、パルス位置変調）を使用することである。そのようなシステムでは、送信機が、パルス信号の送信中に比較的高い電力消費モードで動作させられ得る。しかしながら、パルス信号を送信するために送信機が使用されていないとき、送信機は、電力を温存するために比較的低い電力消費モードで動作させられる。データは、パルスの形態で、フレームにおいて送信され得る。そのような場合、受信機は、データを抽出するためにフレームを検出する必要がある。
【発明の概要】
【０００６】
本開示の一態様は、送信フレームの第１の部分中にパルスの１つまたは複数のバーストを含む第１の信号を送信することと、送信フレームの第２の部分中に第１の信号を送信しないこととを備える、ワイヤレス通信のための方法に関する。別の態様では、第１の信号を送信しないことは、送信フレームの第２の部分にわたって１つまたは複数のサイレンス期間を維持することを備える。さらに別の態様では、第１の信号を送信しないことは、第１の信号とは別個の第２の信号を送信することを備える。この点について、第１の信号は、第２の信号の周波数スペクトルとは実質的に別個の周波数スペクトルを有し得る。さらに、第１の信号の周波数スペクトルは超広帯域（ＵＷＢ）スペクトルであり得る。
【０００７】
本開示の別の態様では、送信フレームの第１の部分は送信フレームのプリアンブル内に位置する。別の態様では、送信フレームの第２の部分は、第１の部分から残る上記フレームの部分を備える。さらに別の態様では、送信フレームの第２の部分は送信フレームのプリアンブル内に位置する。さらに別の態様では、本方法は、送信フレームの第３の部分内でデータペイロードを送信することをさらに含み得る。
【０００８】
本開示の別の態様では、パルスの１つまたは複数のバーストは、それぞれ、パルス繰返し周期ＴPを有するＮ個の等間隔に配置されたパルスを備える。別の態様では、パルスの１つまたは複数のバーストは、それぞれ、時間ホッピング方式で送られるＮ個のパルスを備える。さらに別の態様では、パルスの１つまたは複数のバーストは、それぞれ、パルス位置変調方式で送られるＮ個のパルスを備える。さらに別の態様では、パルスの１つまたは複数のバーストは、それぞれ、パルスの擬似ランダム系列を備える。他の態様では、パルスの同じ擬似ランダム系列は、送信フレームのプリアンブル内で複数のバーストにわたって使用される。他の態様では、パルスの擬似ランダム系列は、擬似ランダム系列を検出するためにシードを使用する第２の装置と共有される上記シードから生成される。
【０００９】
本開示の別の態様では、少なくとも１つのサイレンス期間の長さは、パルスの少なくとも１つのバーストの長さよりも少なくとも１０倍大きい。さらに別の態様では、少なくとも１つのサイレンス期間の長さは７００マイクロ秒よりも大きく、パルスの少なくとも１つのバーストの長さは６０マイクロ秒よりも小さい。
【００１０】
本開示の他の態様、利点および新規の特徴は、本開示の以下の発明を実施するための形態を添付の図面とともに考察すると明らかになろう。
【図面の簡単な説明】
【００１１】
【図１】本開示の一態様による例示的な通信システムのブロック図。
【図２】本開示の別の態様による例示的な送信機のブロック図。
【図３】本開示の別の態様による例示的な受信機のブロック図。
【図４】本開示の別の態様による例示的なフレームの図。
【図５】本開示の別の態様による別の例示的なフレームの図。
【図６】本開示の別の態様による別の例示的なフレームの図。
【図７】本開示の別の態様による別の例示的なフレームの図。
【図８】本開示の別の態様による例示的なパルスのバーストの図。
【図９】本開示の別の態様による別の例示的なパルスのバーストの図。
【図１０】本開示の別の態様による別の例示的なパルスのバーストの図。
【図１１】本開示の別の態様による、フレームを送信する例示的な方法の流れ図。
【図１２】本開示の別の態様による、フレームを送信するための例示的な装置のブロック図。
【図１３】本開示の別の態様による、フレームを検出する例示的な方法の流れ図。
【図１４】本開示の別の態様による、フレームを検出するための例示的な装置のブロック図。
【図１５】本開示の別の態様による例示的なトランシーバシステムのブロック図。
【図１６Ａ】本開示の別の態様によるパルス変調技法のタイミング図。
【図１６Ｂ】本開示の別の態様によるパルス変調技法のタイミング図。
【図１６Ｃ】本開示の別の態様によるパルス変調技法のタイミング図。
【図１６Ｄ】本開示の別の態様によるパルス変調技法のタイミング図。
【図１７】本開示の別の態様による、様々なチャネルを介して互いに通信する様々な通信デバイスのブロック図。
【発明を実施するための形態】
【００１２】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは独立に実施され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。
【００１３】
図１に、本開示の一態様による例示的な通信システム１００のブロック図を示す。通信システム１００は送信機１０２と受信機１０６とを備える。送信機１０２は、ワイヤレス媒体またはワイヤード媒体とすることができる通信媒体１０４を介して受信機１０６に結合される。本明細書でより詳細に説明するように、送信機１０２は、１つまたは複数のフレームにおいて編成される情報を受信機１０６に送信するように適合され得る。
【００１４】
フレームからデータを抽出するために、受信機１０６は、フレームを検出するように構成され得る。この点について、送信機１０２は、フレームの第１の部分中にパルスの１つまたは複数のバーストを備える信号を送信し、フレームの第２の部分中にパルスの１つまたは複数のバーストを送信しないように構成され得る。受信機１０６は、パルスの１つまたは複数のバーストを使用してフレームを検出する。また、フレームがデータを含む場合、受信機１０６は、パルスの１つまたは複数のバーストを使用してフレームを検出した後、フレームからデータを抽出し得る。さらに、本明細書では、このテーマに従って様々な実施形態および技法についてより詳細に説明する。
【００１５】
図２に、本開示の別の態様による例示的な送信機２００のブロック図を示す。要約すれば、送信機２００は、受信機に送信するための１つまたは複数のフレームを生成するように構成される。各フレームは、フレームの第１の部分にパルスの１つまたは複数のバーストを含み、フレームの第２の部分に他の信号またはサイレンスを含む。上記で説明したように、受信機はパルスの１つまたは複数のバーストを使用してフレームを検出する。受信機がフレームを検出した後、データがフレーム中に存在する場合、受信機はフレームからデータを抽出し得る。
【００１６】
特に、送信機２００は、データソース２０２と、フレーム同期符号ソース２０４と、フレーム生成器２０６と、パルス変調器２０８と、無線周波数（ＲＦ）モジュール２１０と、アンテナ２１２とを備える。データソース２０２は、１つまたは複数のフレームを介して受信機に送信するためのデータを生成する。フレーム同期符号ソース２０４は、各フレームを介して受信機に送信するための同期符号を生成する。受信機は、同期符号を使用して、対応するフレームまたはその後受信されるフレームを検出する。各フレームにおいて、同期符号は、フレームの第１の部分内に位置するパルスの１つまたは複数のバーストの形態をとる。
【００１７】
本明細書でさらにより詳細に説明するように、パルスの各バーストは多くの異なる方法で構成され得る。たとえば、パルスの各バーストは、実質的にＮ個の等間隔に配置されたパルスの形態をとり得る。代替的に、パルスの各バーストは、時間ホッピング方式で送信される複数のパルスの形態をとり得る。代替的に、パルスの各バーストは、パルス位置変調方式で送信される複数のパルスの形態をとり得る。代替的に、パルスの各バーストは、パルスの擬似ランダム系列の形態をとり得る。それらの任意の組合せまたは他のパルスバースト構成が使用され得る。パルスの各バーストの構成を知ると、受信機は、バーストを認識することによってフレームを検出し得る。
【００１８】
フレーム生成器２０６は、データソース２０２からのデータとフレーム同期符号ソース２０４からの同期符号とから、送信フレームを生成する。送信フレームはデータを含む必要がないことを理解されたい。送信フレームが定義されると、フレーム生成器２０６はフレーム情報をパルス変調器２０８に供給し、パルス変調器２０８は、定義されたフレームに基づいてパルスを生成する。パルス変調器２０８は、図１６Ａ〜図１６Ｄを参照してその一部が説明される、いくつかの異なるパルス変調技法を使用して、送信のためのフレームパルスを生成し得る。ＲＦモジュール２１０は、送信のためにフレームパルスを調整（たとえば、フィルタ処理、増幅など）し、アンテナ２１２は、ワイヤレス媒体を介して受信機に送信するために、調整されたフレームパルスを放射する。
【００１９】
図３に、本開示の別の態様による例示的な受信機３００のブロック図を示す。要約すれば、受信機３００は、送信機２００などの送信機から１つまたは複数のフレームを受信するように構成される。上記で説明したように、各フレームは、フレームの第１の部分にパルスの１つまたは複数のバーストを含み、フレームの第２の部分に他の信号またはサイレンスを含む。受信機３００は、受信したパルスの１つまたは複数のバーストを分析して、その後フレームを検出する。受信機３００がフレームを検出した後、データがフレーム中に存在する場合、受信機３００はフレームからデータを抽出し得る。
【００２０】
特に、受信機３００は、アンテナ３０２と、ＲＦモジュール３０４と、パルス復調器３０６と、フレーム検出器３０８と、データシンク３１０とを備える。アンテナ３０２は、ワイヤレス媒体を介して受信機によって送信された信号をピックアップする。ＲＦモジュール３０４は、下流での受信した信号の処理の改善のために、受信した信号を調整（たとえば、フィルタ処理、増幅など）する。パルス復調器３０６は、そのパルスを復調してベースバンド信号を生成する。フレーム検出器３０８は、ベースバンド信号を分析してパルスの１つまたは複数のバーストを検出する。フレーム構造の事前知識を有することによって、フレーム検出器３０８は、パルスの１つまたは複数のバーストを検出することによってフレームを検出することができる。フレーム検出器３０８がフレームを検出した後、データがフレーム中に存在する場合、フレーム検出器３０８はフレームからデータを抽出することが可能であり得る。データが抽出されると、フレーム検出器３０８はデータをデータシンク３１０に送る。
【００２１】
図４に、本開示の別の態様による例示的なフレーム４００の図を示す。図に示すように、フレーム４００は、第１の部分４０２と第２の部分４０４とに編成される。フレーム４００の第１の部分４０２は、パルスの複数のバースト１〜Ｍを含む。バースト１〜Ｍは時間的に実質的に等間隔に配置されており、比較的短いサイレンス期間が、パルスの隣接するバーストを分離している。第２の部分４０２は、比較的長いサイレンス期間（すなわち、送信機がいずれの信号をも送信していない期間）を含む。
【００２２】
一例として、フレームの長さＴFは７６８マイクロ秒（μｓ）であり得る。パルスの各バーストの長さＴBは５１．２μｓであり得る。サイレンス期間４０４の長さＴSは７１６．８μｓであり得る。各パルスの長さＴPは２００ナノ秒（ｎｓ）であり得る。また、各バースト内のパルスの数Ｎは２５６であり得る。これらのパラメータの各々を含むフレーム４００が別様に構成され得ることを理解されたい。
【００２３】
図５に、本開示の別の態様による別の例示的なフレームの図を示す。図に示すように、フレーム５００は、第１の部分５０２と第２の部分５０４とに編成される。フレーム５００の第１の部分５０２は、パルスの複数のバースト１〜Ｍを含む。バースト１〜Ｍは時間的に実質的に等間隔に配置されており、比較的短いサイレンス期間が、パルスの隣接するバーストを分離している。第２の部分５０４は、パルスのバーストとは別個である信号を含む。たとえば、パルスのバーストの周波数スペクトルは、第２の部分５０４における信号の周波数スペクトルとは別個であり得る。一例として、バーストにおけるパルスは超広帯域（ＵＷＢ）スペクトルを有し得、第２の部分５０４における信号は、より小さくより低い周波数帯域幅を有し得る。
【００２４】
図６に、本開示の別の態様による例示的なフレーム６００の図を示す。図に示すように、フレーム６００は、プリアンブル６０２とデータペイロード部分６０４とに編成される。フレーム６００のプリアンブル６０２は、パルスの複数のバースト１〜Ｍを含む。バースト１〜Ｍは時間的に実質的に等間隔に配置されており、比較的短いサイレンス期間１〜（Ｍ−１）が、それぞれ、パルスの隣接するバーストを分離している。各バーストはＮ個のパルスを含み得る。フレーム６００のデータペイロード部分６０４はデータのためにリザーブされる。しかしながら、この例では、データペイロード部分６０４は空である。
【００２５】
図７に、本開示の別の態様による例示的なフレーム７００の図を示す。図に示すように、フレーム７００は、プリアンブル７０２とデータペイロード部分７０４とに編成される。フレーム６００のプリアンブル７０２は、パルスの複数のバースト１〜Ｍを含む。バースト１〜Ｍは時間的に実質的に等間隔に配置されており、比較的短いサイレンス期間１〜（Ｍ−１）が、それぞれ、パルスの隣接するバーストを分離している。各バーストはＮ個のパルスを含み得る。フレーム７００のデータペイロード部分７０４はデータのためにリザーブされる。この例では、データペイロード７０４はパルスの形態のデータを含む。前に説明したように、あるデバイスから別のデバイスにデータを送信するためにいくつかのパルス変調技法が使用され得る。
【００２６】
図８に、本開示の別の態様による例示的なパルスのバースト８００の図を示す。この例では、バースト８００は、Ｎ個の実質的に等間隔に配置されたパルスを含む。バースト８００は、定義されたパルス繰返し周期ＴPを有し得る。前に説明したように、受信機は、対応するフレームまたは後続のフレームを検出するために、定義されたパルス繰返し周期ＴPを用いたＮ個のパルスのこのパターンを各々が有する１つまたは複数のバーストを検出することが可能であり得る。
【００２７】
図９に、本開示の別の態様による別の例示的なパルスのバースト９００の図を示す。この例では、バースト９００は、時間ホッピング方式で送信されるパルスを含む。Ｎ個の時間ホッピング間隔がある。各ホッピング間隔内の３つのサブ間隔１〜３のうちの１つ内で１つのパルスが送信され得る。たとえば、第１の時間ホッピング間隔では、第１のサブ間隔内でパルスが送信される。第２の時間ホッピング間隔では、第３のサブ間隔内でパルスが送信される。第３の時間ホッピング間隔では、第２のサブ間隔内でパルスが送信され、図に示すように、以下同様である。時間ホッピングは、より多いまたはより少ない時間ホッピング間隔を有すること、およびより多いまたはより少ないサブ間隔を有することなど、いくつかの異なる方法で構成され得ることを理解されたい。前に説明したように、受信機は、対応するフレームまたは後続のフレームを検出するために、定義された時間ホッピングパターンを各々が有する１つまたは複数のバーストを検出することが可能であり得る。
【００２８】
時間ホッピング方式で送信されるパルスは、擬似ランダム系列を形成するように構成され得る。パルスの擬似ランダム系列は、送信フレームのプリアンブル内で複数のバーストにわたって送信され得る。さらに、擬似ランダム系列は、送信機と受信機の両方によって共有されるシードから生成され得る。この場合、受信機は、擬似ランダム系列を検出し、最終的に送信フレームを検出するために、上記シードを使用する。
【００２９】
図１０に、本開示の別の態様による別の例示的なパルスのバーストの図を示す。この例では、バースト１０００は、パルス位置変調方式で送信されるパルスを含む。Ｎ個の時間パルス位置間隔がある。各パルス位置間隔内の２つのサブ間隔１〜２のうちの１つ内で１つのパルスが送信され得る。たとえば、第１のパルス位置間隔では、（たとえば、論理１を示し得る）第１のサブ間隔内でパルスが送信される。第２のパルス位置間隔では、（たとえば、論理０を示し得る）第２のサブ間隔内でパルスが送信される。第３のパルス位置間隔では、（たとえば、論理１を示し得る）第１のサブ間隔内でパルスが送信され、図に示すように、以下同様である。パルス位置変調は、図１６Ａ〜１６Ｄを参照してその一部が説明され、および示される、いくつかの異なる方法で構成され得ることを理解されたい。前に説明したように、受信機は、対応するフレームまたは後続のフレームを検出するために、定義されたパルス位置変調パターンを各々が有する１つまたは複数のバーストを検出することが可能であり得る。
【００３０】
パルス位置変調方式で送信されるパルスは、擬似ランダム系列を形成するように構成され得る。パルスの擬似ランダム系列は、送信フレームのプリアンブル内で複数のバーストにわたって送信され得る。さらに、擬似ランダム系列は、送信機と受信機の両方によって共有されるシードから生成され得る。この場合、受信機は、擬似ランダム系列を検出し、最終的に送信フレームを検出するために、上記シードを使用する。さらに、パルスは、パルス位置変調と時間ホッピングシーケンスとの組合せ、または他の組合せを使用することによって送信され得る。
【００３１】
図１１に、本開示の別の態様による、フレームを送信する例示的な方法１１００の流れ図を示す。方法１１００によれば、ブロック１１０２において、送信フレームの第１の部分中にパルスの１つまたは複数のバーストを送信する。前に説明したように、第１の部分は、送信フレームのプリアンブル内に位置し得る。パルスの各バーストは、受信デバイスによって定義され、知られ得る。受信デバイスは、最終的に送信フレームを検出し、そのフレームから任意のデータを抽出するために、パルスの１つまたは複数のバーストを認識し、検出し得る。さらに、方法１１００によれば、ブロック１１０４において、送信フレームの第２の部分中にパルスの１つまたは複数のバーストを送信しない。前に説明したように、第２の部分は、第１の部分から残る送信フレームの部分であり得る。代替的に、送信フレームの第２の部分はまた、プリアンブル内に位置し得、パルスの隣接するバースト間に位置し得る。第２の部分は、完全に、信号が送信されていないサイレンス期間からなり得る。あるいは、第２の部分は、周波数または他のアスペクトにおいて、パルスのバーストを備える信号とは別個の信号を含み得る。
【００３２】
図１２に、本開示の別の態様による、送信フレームを送信するための例示的な装置１２００のブロック図を示す。本装置は、方法１１００による動作を実行するために使用される例示的な実施形態であり得る。特に、装置１２００は、送信フレームの第１の部分中にパルスの１つまたは複数のバーストを送信するための回路１２０２を含む。装置１２００は、送信フレームの第２の部分中にパルスの１つまたは複数のバーストを送信しないための回路１２０４をさらに含む。「手段」が回路、デバイス、プロセッサ、および他の構成要素を備え得ることを理解されたい。
【００３３】
図１３に、本開示の別の態様による、送信フレームを検出するための例示的な方法１３００の流れ図を示す。方法１３００によれば、ブロック１３０２において、送信フレームの第１の部分中にパルスの１つまたは複数のバーストを受信する。次いで、方法１３００によれば、ブロック１３０４において、パルスの１つまたは複数のバーストを分析する。次いで、ブロック１３０６において、パルスの１つまたは複数のバーストの分析に基づいて送信フレームを検出する。
【００３４】
図１４に、本開示の別の態様による、送信フレームを検出するための例示的な装置１４００のブロック図を示す。装置１４００は、方法１３００による動作を実行するために使用される例示的な実施形態であり得る。特に、装置１４００は、送信フレームの第１の部分中にパルスの１つまたは複数のバーストを受信するための回路１４０２を含む。装置１４００は、パルスの１つまたは複数のバーストの分析を実行するための回路１４０４をさらに含む。さらに、装置１４００は、パルスの１つまたは複数のバーストの分析に基づいて送信フレームの存在を検出するための回路１４０６を含む。
【００３５】
図１５に、本開示の別の態様による例示的な通信デバイス１５００のブロック図を示す。通信デバイス１５００は、送信フレームを送信および／または検出するための前に説明した装置のいずれかを使用する通信デバイスの１つの例示的な実施形態であり得る。特に、通信デバイス１５００は、アンテナ１５０２と、インピーダンス整合フィルタ１５０４と、低雑音増幅器（ＬＮＡ）１５０６と、パルス復調器１５０８と、受信機ベースバンド処理モジュール１５１０と、局部発振器（ＬＯ）１５１２と、送信機ベースバンド処理モジュール１５１４と、パルス変調器１５１６と、電力増幅器（ＰＡ）１５１８とを備える。
【００３６】
送信通信デバイスとしては、宛先通信デバイスに送信されるべきデータが送信機ベースバンド処理モジュール１５１４に送られる。送信機ベースバンド処理モジュール１５１４は、前に説明したように、送信データを処理して外部への(outbound)送信フレームを生成する。発振器１５１２によって生成されたＬＯ信号を使用して、パルス変調器１５１６は、アウトバウンド送信フレームに基づいてパルス（たとえば、超広帯域パルス（ＵＷＢ））を生成する。パルスは、電力増幅器１５１８によって増幅され、次いで、ワイヤレス媒体への送信のためにインピーダンス整合フィルタ１５０４を介してアンテナ１５０２に送られる。送信データは、センサ、マイクロプロセッサ、マイクロコントローラ、ＲＩＳＣプロセッサ、キーボード、マウスまたはトラックボールなどのポインティングデバイス、マイクロフォンなどのトランスデューサを含むヘッドセットなどのオーディオデバイス、医療デバイス、靴、データを生成するロボットデバイスまたは機械デバイス、タッチセンシティブディスプレイなどのユーザインターフェースなどによって生成され得る。
【００３７】
受信通信デバイスとしては、受信ＲＦ信号が、アンテナ１５０２によってピックアップされ、インピーダンス整合フィルタ１５０４を介してＬＮＡ１５０６に適用される。ＬＮＡ１５０６は受信ＲＦ信号を増幅する。発振器１５１２によって生成されたＬＯ信号を使用して、パルス復調器１５０８は、受信したＵＷＢパルスに基づいて内部への(inbound)ベースバンド信号を生成する。受信機ベースバンド処理１５１０は、前に説明したように、送信フレームを検出し、そのフレームから受信データを抽出するために、受信信号におけるパルスの１つまたは複数のバーストを検出する。次いで、データプロセッサ（図示せず）が、受信データに基づいて１つまたは複数の定義された動作を実行し得る。たとえば、データプロセッサは、マイクロプロセッサ、マイクロコントローラ、縮小命令セットコンピュータ（ＲＩＳＣ）プロセッサ、ディスプレイ、スピーカーなどのトランスデューサを含むヘッドセットなどのオーディオデバイス、医療デバイス、靴、ウォッチ、データに応答するロボットデバイスまたは機械デバイス、ディスプレイなどのユーザインターフェース、１つまたは複数の発光ダイオード（ＬＥＤ）などを含み得る。
【００３８】
図１６Ａに、本明細書で説明する通信システム、デバイス、および装置のいずれかにおいて採用され得るパルス変調の一例として、異なるパルス繰返し周波数（ＰＲＦ）を用いて定義される異なるチャネル（チャネル１および２）を示す。詳細には、チャネル１に関するパルスは、パルス間遅延期間１６０２に対応するパルス繰返し周波数（ＰＲＦ）を有する。反対に、チャネル２に関するパルスは、パルス間遅延期間１６０４に対応するパルス繰返し周波数（ＰＲＦ）を有する。したがって、この技法を使用して、２つのチャネル間のパルス衝突の可能性が比較的低い擬似直交チャネルを定義し得る。具体的には、パルスに対して低いデューティサイクルを使用することによって、パルス衝突の可能性を低くし得る。たとえば、パルス繰返し周波数（ＰＲＦ）を適切に選択することにより、所与のチャネルに関する実質的にすべてのパルスを、いずれかの他のチャネルに関するパルスとは異なる時間に送信し得る。
【００３９】
所与のチャネルについて定義されるパルス繰返し周波数（ＰＲＦ）は、そのチャネルによってサポートされる１つまたは複数のデータレートに依存し得る。たとえば、極めて低い（たとえば、数キロビット毎秒またはＫｂｐｓのオーダーの）データレートをサポートするチャネルは、対応する低いパルス繰返し周波数（ＰＲＦ）を採用し得る。反対に、比較的高い（たとえば、数メガビット毎秒またはＭｂｐｓのオーダーの）データレートをサポートするチャネルは、相応してより高いパルス繰返し周波数（ＰＲＦ）を採用し得る。
【００４０】
図１６Ｂに、本明細書で説明する通信システムのいずれかにおいて採用され得る変調の一例として、異なるパルス位置またはオフセットを用いて定義される異なるチャネル（チャネル１および２）を示す。チャネル１に関するパルスは、（たとえば、図示されない所与の時点に対する）第１のパルスオフセットに従って、線１６０６によって表される時点に生成される。反対に、チャネル２に関するパルスは、第２のパルスオフセットに従って、線１６０８によって表される時点に生成される。（矢印１６１０によって表される）パルス間のパルスオフセット差が与えられると、この技法を使用して、２つのチャネル間のパルス衝突の可能性を低減し得る。（たとえば、本明細書で説明するように）チャネルについて定義されるいずれかの他のシグナリングパラメータと、デバイス間のタイミングの精度（たとえば、相対クロックドリフト）とに応じて、異なるパルスオフセットの使用は、直交または擬似直交チャネルを与えるために使用され得る。
【００４１】
図１６Ｃに、本明細書で説明する通信システムのいずれかにおいて採用され得る異なるタイミングホッピングシーケンスを用いて定義される異なるチャネル（チャネル１および２）を示す。たとえば、チャネル１に関するパルス１６１２を１つの時間ホッピングシーケンスに従う時間に生成し得、チャネル２に関するパルス１６１４を別の時間ホッピングシーケンスに従う時間に生成し得る。使用される特定のシーケンスとデバイス間のタイミングの精度とに応じて、この技法を使用して、直交または擬似直交チャネルを与え得る。たとえば、時間ホッピングされたパルス位置は、隣接するチャネルからの反復パルス衝突の可能性を低減するために、周期的でなくてもよい。
【００４２】
図１６Ｄに、本明細書で説明する通信システムのいずれかにおいて採用され得るパルス変調の一例として、異なるタイムスロットを用いて定義される異なるチャネルを示す。チャネルＬ１に関するパルスは特定の時間インスタンスにおいて生成される。同様に、チャネルＬ２に関するパルスは他の時間インスタンスにおいて生成される。同様に、チャネルＬ３に関するパルスは、さらに他の時間インスタンスにおいて生成される。一般に、異なるチャネルに関係する時間インスタンスは、様々なチャネル間の干渉を低減するか、またはなくすために、一致しないか、または直交していてもよい。
【００４３】
パルス変調方式に従ってチャネルを定義するために、他の技法を使用し得ることを諒解されたい。たとえば、異なる拡散擬似乱数系列、あるいは何らかの他の好適な１つまたは複数のパラメータに基づいて、チャネルを定義し得る。さらに、２つ以上のパラメータの組合せに基づいてチャネルを定義し得る。
【００４４】
図１７に、本開示の別の態様による、様々なチャネルを介して互いに通信する様々な超広帯域（ＵＷＢ）通信デバイスのブロック図を示す。たとえば、ＵＷＢデバイス１  １７０２は、２つの同時ＵＷＢチャネル１および２を介してＵＷＢデバイス２  １７０４と通信している。ＵＷＢデバイス１７０２は、単一のチャネル３を介してＵＷＢデバイス３  １７０６と通信している。そして、ＵＷＢデバイス３  １７０６は、単一のチャネル４を介してＵＷＢデバイス４  １７０８と通信している。他の構成も可能である。通信デバイスは、多くの様々な適用例のために使用され得、たとえば、ヘッドセット、マイクロフォン、生体センサ、心拍数モニタ、歩数計、心電図デバイス、ウォッチ、靴、遠隔制御装置、スイッチ、タイヤ圧力モニタ、または他の通信デバイスに実装され得る。医療デバイスは、スマートバンドエイド、センサ、バイタルサインモニタなどを含み得る。本明細書で説明する通信デバイスは、自動車応答、運動応答、および生理的（医療）応答を感知するためなどの任意のタイプの感知適用例に使用され得る。
【００４５】
本開示の上記の態様のいずれも多くの様々なデバイスに実装され得る。たとえば、上記で説明した医療適用例に加えて、本開示の態様をヘルスおよびフィットネス適用例に適用し得る。さらに、本開示の態様は、様々なタイプの適用例のための靴に実装され得る。本明細書で説明する開示の任意の態様を組み込み得る他の多数の適用例がある。
【００４６】
本開示の様々な態様について上記で説明した。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは独立に実施され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。上記の概念のうちのいくつかの一例として、いくつかの態様では、パルス繰返し周波数に基づいて同時チャネルを確立し得る。いくつかの態様では、パルス位置またはオフセットに基づいて同時チャネルを確立し得る。いくつかの態様では、時間ホッピングシーケンスに基づいて同時チャネルを確立し得る。いくつかの態様では、パルス繰返し周波数、パルス位置またはオフセット、および時間ホッピングシーケンスに基づいて、同時チャネルを確立し得る。
【００４７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００４８】
さらに、本明細書で開示する態様に関して説明した様々な例示的な論理ブロック、モジュール、プロセッサ、手段、回路、およびアルゴリズムステップは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換可能性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実施し得るが、そのような実施の決定は、本開示の範囲からの逸脱を生じるものと解釈すべきではない。
【００４９】
本明細書で開示する態様に関して説明した様々な例示的な論理ブロック、モジュールおよび回路は、集積回路（「ＩＣ」）、アクセス端末、またはアクセスポイント内に実装されるか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００５０】
開示するプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００５１】
本明細書で開示する態様に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュール（たとえば、実行可能命令および関連するデータを含む）および他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態のコンピュータ可読記憶媒体など、データメモリ中に常駐し得る。プロセッサが記憶媒体から情報（たとえばコード）を読み取り、情報を記憶媒体に書き込むことができるように、例示的な記憶媒体を、たとえばコンピュータ／プロセッサ（便宜上、本明細書では「プロセッサ」と呼ぶことがある）などのマシンに結合し得る。例示的な記憶媒体はプロセッサと一体であり得る。プロセッサおよび記憶媒体はＡＳＩＣ中に常駐し得る。ＡＳＩＣはユーザ機器中に常駐し得る。代替として、プロセッサおよび記憶媒体はユーザ機器中の個別構成要素として常駐し得る。さらに、いくつかの態様では、任意の好適なコンピュータプログラム製品は、本開示の態様のうちの１つまたは複数に関係するコードを備えるコンピュータ可読媒体を備え得る。いくつかの態様では、コンピュータプログラム製品はパッケージ材料を備え得る。
【００５２】
本発明について様々な態様に関して説明したが、本発明はさらなる変更が可能であることが理解されよう。本出願は、一般に、本発明が関係する当技術分野における既知の慣行に含まれるような本開示からの逸脱を含む、本発明の原理に従ういかなる変形形態、使用または適応をも包含するものとする。
以下に、本願出願の当初の特許請求の範囲に記載された発明を付記する。
［付記１］
送信フレームの第１の部分中にパルスの１つまたは複数のバーストを備える第１の信号を第１の装置が送信することと、
前記送信フレームの第２の部分中に前記第１の信号を前記第１の装置が送信しないことと
を備える、ワイヤレス通信の方法。
［付記２］
前記第１の信号を送信しないことが、前記送信フレームの前記第２の部分にわたって１つまたは複数のサイレンス期間を維持することを備える、付記１に記載の方法。
［付記３］
前記第１の信号を送信しないことが、前記第１の信号とは別個の第２の信号を送信することを備える、付記１に記載の方法。
［付記４］
前記第１の信号の第１の周波数スペクトルが、前記第２の信号の第２の周波数スペクトルとは実質的に別個である、付記３に記載の方法。
［付記５］
前記第１の信号の前記第１の周波数スペクトルが超広帯域（ＵＷＢ）スペクトルを備える、付記４に記載の方法。
［付記６］
前記送信フレームの前記第１の部分が前記送信フレームのプリアンブル内に位置する、付記１に記載の方法。
［付記７］
前記送信フレームの前記第２の部分が、前記第１の部分から残る前記送信フレームの部分を備える、付記１に記載の方法。
［付記８］
前記送信フレームの前記第２の部分が前記送信フレームのプリアンブル内に位置する、付記１に記載の方法。
［付記９］
パルスの前記１つまたは複数のバーストが、それぞれ、パルス繰返し周期ＴPを有するＮ個の実質的に等間隔に配置されたパルスを備える、付記１に記載の方法。
［付記１０］
パルスの前記１つまたは複数のバーストが、それぞれ、時間ホッピング方式で送られるＮ個のパルスを備える、付記１に記載の方法。
［付記１１］
パルスの前記１つまたは複数のバーストが、それぞれ、パルス位置変調方式で送られるＮ個のパルスを備える、付記１に記載の方法。
［付記１２］
パルスの前記１つまたは複数のバーストが、それぞれ、パルスの擬似ランダム系列を備える、付記１に記載の方法。
［付記１３］
パルスの同じ擬似ランダム系列が、前記送信フレームのプリアンブル内で複数のバーストにわたって使用される、付記１２に記載の方法。
［付記１４］
パルスの前記擬似ランダム系列が、前記擬似ランダム系列を検出するためにシードを使用する第２の装置と共有される前記シードから生成される、付記１２に記載の方法。
［付記１５］
少なくとも１つのサイレンス期間の長さが、パルスの少なくとも１つのバーストの長さよりも少なくとも１０倍大きい、付記２に記載の方法。
［付記１６］
少なくとも１つのサイレンス期間の長さが７００μｓよりも大きく、パルスの少なくとも１つのバーストの前記長さが６０μｓよりも小さい、付記２に記載の方法。
［付記１７］
前記送信フレームの第３の部分内でデータペイロードを送信することをさらに備える、付記１に記載の方法。
［付記１８］
送信フレームの第１の部分中にパルスの１つまたは複数のバーストを備える第１の信号を送信するための手段と、
前記送信フレームの第２の部分中に前記第１の信号を送信しないための手段と
を備える、ワイヤレス通信のための装置。
［付記１９］
前記第１の信号を送信しないための前記手段が、前記送信フレームの前記第２の部分にわたって１つまたは複数のサイレンス期間を維持するための手段を備える、付記１８に記載の装置。
［付記２０］
前記第１の信号を送信しないための前記手段が、前記第１の信号とは別個の第２の信号を送信するための手段を備える、付記１８に記載の装置。
［付記２１］
前記第１の信号の第１の周波数スペクトルが、前記第２の信号の第２の周波数スペクトルとは実質的に別個である、付記２０に記載の装置。
［付記２２］
前記第１の信号の前記第１の周波数スペクトルが超広帯域（ＵＷＢ）スペクトルを備える、付記２１に記載の装置。
［付記２３］
前記送信フレームの前記第１の部分が前記送信フレームのプリアンブル内に位置する、付記１８に記載の装置。
［付記２４］
前記送信フレームの前記第２の部分が、前記第１の部分から残る前記送信フレームの部分を備える、付記１８に記載の装置。
［付記２５］
前記送信フレームの前記第２の部分が前記送信フレームのプリアンブル内に位置する、付記１８に記載の装置。
［付記２６］
パルスの前記１つまたは複数のバーストが、それぞれ、パルス繰返し周期ＴPを有するＮ個の実質的に等間隔に配置されたパルスを備える、付記１８に記載の装置。
［付記２７］
パルスの前記１つまたは複数のバーストが、それぞれ、時間ホッピング方式で送られるＮ個のパルスを備える、付記１８に記載の装置。
［付記２８］
パルスの前記１つまたは複数のバーストが、それぞれ、パルス位置変調方式で送られるＮ個のパルスを備える、付記１８に記載の装置。
［付記２９］
パルスの前記１つまたは複数のバーストが、それぞれ、パルスの擬似ランダム系列を備える、付記１８に記載の装置。
［付記３０］
パルスの同じ擬似ランダム系列が、前記送信フレームのプリアンブル内で複数のバーストにわたって使用される、付記２９に記載の装置。
［付記３１］
パルスの前記擬似ランダム系列が、前記擬似ランダム系列を検出するためにシードを使用する第２の装置と共有される前記シードから生成される、付記２９に記載の装置。
［付記３２］
少なくとも１つのサイレンス期間の長さが、パルスの少なくとも１つのバーストの長さよりも少なくとも１０倍大きい、付記１９に記載の装置。
［付記３３］
少なくとも１つのサイレンス期間の長さが７００μｓよりも大きく、パルスの少なくとも１つのバーストの前記長さが６０μｓよりも小さい、付記１９に記載の装置。
［付記３４］
前記送信フレームの第３の部分内でデータペイロードを送信するための手段をさらに備える、付記１８に記載の装置。
［付記３５］
送信フレームの第１の部分中にパルスの１つまたは複数のバーストを備える第１の信号を送信し、前記送信フレームの第２の部分中に前記第１の信号を送信しないように適合された送信機
を備える、ワイヤレス通信のための装置。
［付記３６］
前記送信機が、前記送信フレームの前記第２の部分にわたって１つまたは複数のサイレンス期間を維持するように適合された、付記３５に記載の装置。
［付記３７］
前記送信機が、前記送信フレームの前記第２の部分中に前記第１の信号とは別個の第２の信号を送信するように適合された、付記３５に記載の装置。
［付記３８］
前記第１の信号の第１の周波数スペクトルが、前記第２の信号の第２の周波数スペクトルとは実質的に別個である、付記３７に記載の装置。
［付記３９］
前記第１の信号の前記第１の周波数スペクトルが超広帯域（ＵＷＢ）スペクトルを備える、付記３７に記載の装置。
［付記４０］
前記送信フレームの前記第１の部分が前記送信フレームのプリアンブル内に位置する、付記３５に記載の装置。
［付記４１］
前記送信フレームの前記第２の部分が、前記第１の部分から残る前記送信フレームの部分を備える、付記３５に記載の装置。
［付記４２］
前記送信フレームの前記第２の部分が前記送信フレームのプリアンブル内に位置する、付記３５に記載の装置。
［付記４３］
パルスの前記１つまたは複数のバーストが、それぞれ、パルス繰返し周期ＴPを有するＮ個の等間隔に配置されたパルスを備える、付記３５に記載の装置。
［付記４４］
パルスの前記１つまたは複数のバーストが、それぞれ、時間ホッピング方式で送られるＮ個のパルスを備える、付記３５に記載の装置。
［付記４５］
パルスの前記１つまたは複数のバーストが、それぞれ、パルス位置変調方式で送られるＮ個のパルスを備える、付記３５に記載の装置。
［付記４６］
パルスの前記１つまたは複数のバーストが、それぞれ、パルスの擬似ランダム系列を備える、付記３５に記載の装置。
［付記４７］
パルスの同じ擬似ランダム系列が、前記送信フレームのプリアンブル内で複数のバーストにわたって使用される、付記４６に記載の装置。
［付記４８］
パルスの前記擬似ランダム系列が、前記擬似ランダム系列を検出するためにシードを使用する第２の装置と共有される前記シードから生成される、付記４６に記載の装置。
［付記４９］
少なくとも１つのサイレンス期間の長さが、パルスの少なくとも１つのバーストの長さよりも少なくとも１０倍大きい、付記３６に記載の装置。
［付記５０］
少なくとも１つのサイレンス期間の長さが７００μｓよりも大きく、パルスの少なくとも１つのバーストの前記長さが６０μｓよりも小さい、付記３６に記載の装置。
［付記５１］
前記送信機が、前記送信フレームの第３の部分内でデータペイロードを送信するように適合された、付記３６に記載の装置。
［付記５２］
送信フレームの第１の部分中にパルスの１つまたは複数のバーストを備える第１の信号を送信することと、
前記送信フレームの第２の部分中に前記第１の信号を送信しないことと
を行うための、装置によって実行可能な命令を備えるコンピュータ可読媒体
を備える、コンピュータプログラム製品。
［付記５３］
オーディオデータを生成するように適合されたトランスデューサと、
送信フレームの第１の部分中にパルスの１つまたは複数のバーストを備える第１の信号を送信することと、
前記送信フレームの第２の部分中に前記第１の信号を送信しないことと、
前記送信フレームの第３の部分中に前記オーディオデータを送信することと
を行うように適合された送信機と
を備える、ヘッドセット。
［付記５４］
データを生成するように適合されたユーザインターフェースと、
送信フレームの第１の部分中にパルスの１つまたは複数のバーストを備える第１の信号を送信することと、
前記送信フレームの第２の部分中に前記第１の信号を送信しないことと、
前記送信フレームの第３の部分中に前記データを送信することと
を行うように適合された送信機と
を備える、ユーザデバイス。
［付記５５］
データを生成するように適合されたセンサと、
送信フレームの第１の部分中にパルスの１つまたは複数のバーストを備える第１の信号を送信することと、
前記送信フレームの第２の部分中に前記第１の信号を送信しないことと、
前記送信フレームの第３の部分中に前記データを送信することと
を行うように適合された送信機と
を備える、感知デバイス。
【図１】
0005587413.tif 000002
【図２】
0005587413.tif 000003
【図３】
0005587413.tif 000004
【図４】
0005587413.tif 000005
【図５】
0005587413.tif 000006
【図６】
0005587413.tif 000007
【図７】
0005587413.tif 000008
【図８】
0005587413.tif 000009
【図９】
0005587413.tif 000010
【図１０】
0005587413.tif 000011
【図１１】
0005587413.tif 000012
【図１２】
0005587413.tif 000013
【図１３】
0005587413.tif 000014
【図１４】
0005587413.tif 000015
【図１５】
0005587413.tif 000016
【図１６Ａ】
0005587413.tif 000017
【図１６Ｂ】
0005587413.tif 000018
【図１６Ｃ】
0005587413.tif 000019
【図１６Ｄ】
0005587413.tif 000020
【図１７】
0005587413.tif 000021